(57)【要約】【課題】店頭展示運転か通常運転かを判断し、間違いを防止できる冷蔵庫を提供する。【解決手段】通常モードと、店頭展示用のデモモードと、冷蔵庫２１を制御する制御手段５５と、冷蔵庫内を適温に冷却するための冷却用機能部品と、冷却用機能部品が異常の場合に表示する異常表示手段４５とを備えた冷蔵庫において、通常モード中に電源投入されて、冷却用機能部品が制御手段５５に接続されている場合、制御手段５５は正常と判定し異常表示手段４５に異常表示せず、デモモード中に電源投入されて、冷却用機能部品が制御手段に接続されていない場合、制御手段は異常表示手段４５に異常表示することで、１種類のプログラムで構成できるので２種類必要なく、基板の取付け間違いを防止できる【選択図】図４
2012202647.tif 000002
【特許請求の範囲】
【請求項１】
通常モードと、店頭展示用のデモモードと、冷蔵庫全体を制御する制御手段と、前記冷蔵庫内を適温に冷却するための冷却用機能部品と、前記冷却用機能部品が異常の場合に表示する異常表示手段とを備えた冷蔵庫において、前記通常モード中に電源投入されて、前記冷却用機能部品が前記制御手段に接続されている場合、前記制御手段は正常と判定し前記異常表示手段に異常表示せず、前記デモモード中に電源投入されて、前記冷却用機能部品が前記制御手段に接続されていない場合、前記制御手段は前記異常表示手段に異常表示することを特徴とする冷蔵庫。
【請求項２】
前記冷却用機能部品は庫内の温度を検知する温度検知手段または庫内の空気を攪拌するファンまたは庫内を冷却する冷却器に着霜した霜を除霜する除霜手段であることを特徴とする請求項１に記載の冷蔵庫。
【請求項３】
前記異常表示手段は冷蔵庫の扉に設置されたことを特徴とする請求項１に記載の冷蔵庫。
【発明の詳細な説明】
【技術分野】
【０００１】
本発明は、冷蔵庫に関し、１種類のプログラムで店頭展示用と通常販売用を識別可能にした冷蔵庫に関する。
【背景技術】
【０００２】
従来、店頭でデモ運転された冷蔵庫が購入される場合、複雑な作業なくデモ運転を解除するために、冷蔵庫のデモ運転を設定するデモ運転設定手段と、設定されたデモの設定回数を記憶するデモ設定回数記憶手段と、設定回数があらかじめ決められた回数以上であればデモ運転を決定しないデモ回数運転決定手段を備えるため、デモの運転回数が制限され操作ミスにより何度もデモ運転に設定されることがない。
【０００３】
このような冷蔵庫では、デモ設定に回数制限をして、デモ運転から通常運転へのプログラムに変更するのを間違えても制限なくデモ運転を繰り返すのを抑制している（例えば、特許文献１参照）。
【先行技術文献】
【特許文献】
【０００４】
【特許文献１】特開２００５−１７２２９７号公報
【発明の概要】
【発明が解決しようとする課題】
【０００５】
しかし、操作ミスによって通常運転にできず、デモ運転を繰り返さないように、デモ運転に回数制限を持たせた通常運転とは異なるデモ運転用のプログラムを管理する必要があり、また所定回数までは操作ミスによってデモ運転になってしまうので、通常運転に設定したくてもでも運転を繰り返すという場合が生じている。
【０００６】
本発明は、上記従来の課題を解決するもので、店頭展示運転か通常運転かを判断し間違いを防止できる冷蔵庫を提供することを目的とする。
【課題を解決するための手段】
【０００７】
上記従来の課題を解決するために、本発明の冷蔵庫は、通常モードと、店頭展示用のデモモードと、冷蔵庫全体を制御する制御手段と、前記冷蔵庫内を適温に冷却するための冷却用機能部品と、前記冷却用機能部品が異常の場合に表示する異常表示手段とを備えた冷蔵庫において、前記通常モード中に電源投入されて、前記冷却用機能部品が前記制御手段に接続されている場合、前記制御手段は正常と判定し前記異常表示手段に異常表示せず、前記デモモード中に電源投入されて、前記冷却用機能部品が前記制御手段に接続されていない場合、前記制御手段は前記異常表示手段に異常表示するものである。
【０００８】
これにより、店頭展示モード時と通常運転時とを１つの基板で構成できるので、基板の取付け間違いを防止できる。
【発明の効果】
【０００９】
本発明は、店頭デモ時と通常運転時とで、基板の取付け間違いを防止できる冷蔵庫を実現できる。
【図面の簡単な説明】
【００１０】
【図１】本発明の実施の形態１における冷蔵庫の正面図
【図２】同実施の形態における、操作表示手段の概略構成図
【図３】同実施の形態における冷蔵庫の断面図
【図４】同実施の形態における制御装置が行うフローチャート
【発明を実施するための形態】
【００１１】
第１の発明は、通常モードと、店頭展示用のデモモードと、冷蔵庫全体を制御する制御手段と、前記冷蔵庫内を適温に冷却するための冷却用機能部品と、前記冷却用機能部品が異常の場合に表示する異常表示手段とを備えた冷蔵庫において、前記通常モード中に電源投入されて、前記冷却用機能部品が前記制御手段に接続されている場合、前記制御手段は正常と判定し前記異常表示手段に異常表示せず、前記デモモード中に電源投入されて、前記冷却用機能部品が前記制御手段に接続されていない場合、前記制御手段は前記異常表示手段に異常表示するものであり、１種類のプログラムで構成できるので１種類の基板で構成でき、取り付け間違いを防止できる。
【００１２】
第２の発明は、特に第１の発明において、前記冷却用機能部品は庫内の温度を検知する温度検知手段または庫内の空気を攪拌するファンまたは庫内を冷却する冷却器に着霜した霜を除霜する除霜手段であることにより、基板の取付け間違いを防止できる。
【００１３】
第３の発明は、特に第１の発明において、前記異常表示手段は冷蔵庫の扉に設置されたものであり、基板の取付け間違いの防止を実現できる。
【００１４】
以下、本発明の冷蔵庫の実施の形態について、図面を参照しながら説明する。なお、この実施の形態によって本発明が限定されるものではない。
【００１５】
（実施の形態１）
図１は、本発明の実施の形態１における冷蔵庫の正面図である。図１において、冷蔵庫２１は、観音開き式の扉を備える冷蔵庫であり、断熱箱体内に複数に区画された貯蔵室を備えている。
【００１６】
具体的には貯蔵室として、上部より冷蔵室２２、製氷室２３、製氷室２３に併設され室内の温度が変更可能な切換室２４、冷凍室２５、および野菜室２６を備えている。また、冷蔵室２２の内部の右側下部（切換室２４の上方）には、チルド室またはパーシャル室（図示せず）が設けられている。
【００１７】
各貯蔵室の開口部には、例えばウレタンのような発泡断熱材を発泡充填した断熱扉が設けられている。具体的には、冷蔵室２２には断熱箱体の開口部を開閉可能に塞ぐ左扉３１ａおよび右扉３１ｂが設けられている。
【００１８】
また、製氷室２３、切換室２４、冷凍室２５、および野菜室２６は引き出し式の貯蔵室であり、それぞれ引き出し式の扉３２、扉３３、扉３４、および扉３５が設けられている。
【００１９】
冷凍室２５と野菜室２６の後側には、冷却器５０およびファン５１が設けられており、冷蔵庫２１の本体上部に設置された圧縮機５２が駆動することにより、冷却器から冷却された空気（冷気）がダンパを介して各貯蔵室に送られる。また、それぞれの貯蔵室ごとに所定の温度に冷却制御される。
【００２０】
また、右扉３１ｂの右側上方には冷蔵庫２１の機種名を示すラベルなどの表示４０が貼り付けられている。さらに、右扉３１ｂには、右扉３１ｂの回動軸とは反対側の端辺に沿って扉化粧板４１が取り付けられている。扉化粧板４１には裏側から操作表示手段４２が
取り付けられており、その取り付け位置は、一般的な使用者や作業者の目の高さ程度の高さ位置である。
【００２１】
図２は、操作表示手段４２の構成図である。図２に示すように、操作表示手段４２には、表示手段を備えている。表示手段は、上から順に省エネ運転を行っているかどうかなどの運転状態を表示する運転状態表示手段４３、冷蔵庫２１の異常などを表示する異常表示手段４５、使用者により設定された状態などを表示する複数個の状態表示手段４６などから構成されている。また、表示手段の下部には、操作手段として、設定温度調節や運転モード切換えを行なう複数個の操作スイッチ４７が設けられている。
【００２２】
さらに、運転状態表示手段４３と異常表示手段４５の間には、冷蔵庫２１周囲の明るさを検知する照度検知手段４４が設けられている。照度検知手段４４は、内部にフォトダイオードやフォトトランジスタの受光素子を内蔵した光センサーで構成されている。
【００２３】
運転状態表示手段４３、状態表示手段４６は、発光ダイオード（ＬＥＤ）で構成されている。また、異常表示手段４５は、７つのＬＥＤを組合せた７セグメントＬＥＤを２つ並べて構成されている。
【００２４】
操作スイッチ４７は、上から順に、上移動スイッチ、メニュースイッチ、下移動スイッチと対応付けられている。例えば、冷蔵室２２の温度レベルを変更する場合には、使用者は、まず、メニュースイッチを押し、状態表示手段４６に「冷蔵」の表示がされるように、上移動スイッチ、または、下移動スイッチを操作する。そして、状態表示手段４６に「冷蔵」が表示された状態で、再び、メニュースイッチを押し、冷蔵室２２の温度レベルを変更するモードに入り、上移動スイッチ、または、下移動スイッチにより、状態表示手段４６に「強」、「中」、「弱」のいずれかを表示させ、さらにメニュースイッチを押すことで、温度レベルを選択する。このように、操作スイッチ４７により、貯蔵室の部屋毎に温度調節できる。
【００２５】
操作表示手段４２は、光センサー、ＬＥＤ、操作表示用マイクロコンピュータ（操作表示用マイコン）などが実装された操作表示基板を備えており、操作表示基板は、扉化粧板４１の内側に設けられている。また、冷蔵庫２１の本体背面上部には、制御手段が設けられている。制御手段５５は、制御用マイクロコンピュータ（制御用マイコン）などが実装された制御基板を備えており、制御手段５５は、室内に設置された温度検知手段５４の設定温度によりファン５１の運転、圧縮機５２の運転の制御や、圧縮機５２の運転時間により冷却器５０に着霜した霜を除霜する除霜ヒータ５３の制御を行っている。
【００２６】
図４は、デモ運転時と通常運転時を判断するフローチャート図である。
【００２７】
ステップＳ１で電源投入すると、ステップＳ２にて温度検知手段５４などの全てのセンサー入力が開放されたかどうか判断する。全ての温度検知手段５４の入力が開放されるとステップＳ３でファン５１の入力に変化があるか判断する。入力に変化があると判断すると、ステップＳ４で冷蔵庫２１は店頭デモ用として展示された展示品と判断し、ステップＳ５で自己診断制御はせず、異常表示もしない。ステップＳ５の後は、表示基板にてデモ表示をし、一定周期ごとに表示遷移します。また冷却運転もしないこととなります。
【００２８】
またステップ２で全てのセンサー入力が開放されていないと判断すると、通常の販売品と判断し、ステップＳ７で自己診断制御を行い、異常表示手段４５にて異常検知表示が可能となり、検知をして異常があれば異常表示を行い、異常がなければ異常表示はされないという制御を行う。
【００２９】
これによって、店頭展示モード時と通常運転時とを１つの基板で構成できるので、基板の取付け間違いを防止することができる。
【産業上の利用可能性】
【００３０】
以上のように、本発明にかかる冷蔵庫は、通常運転モードと展示用デモモードを１種類のプログラムで構成できるので同じ基板で構成でき、家庭用および業務用など様々な種類および大きさの冷蔵庫等に適用できる。
【符号の説明】
【００３１】
５０  冷却器
５１  ファン
５２  圧縮機
５３  除霜ヒータ
５４  温度検知手段
５５  制御手段
【図１】
2012202647.tif 000003
【図２】
2012202647.tif 000004
【図３】
2012202647.tif 000005
【図４】
2012202647.tif 000006